(57)【要約】【課題】  季節に応じた熱負荷端末への熱媒体の温度制御及び貯湯タンクに蓄える温水の温度制御が可能となり、省エネルギーを実現できる温水利用システムを提供すること。【解決手段】  貯湯タンク１内の水を加熱する温水生成手段２と、貯湯タンク１の上方側から熱交換器４の一次側配管４ａ及び熱交換器一次用ポンプ５を経て貯湯タンク１の下方側に戻される一次側循環経路７と、熱交換器４の二次側配管４ｂの一端からの加熱された熱媒体９を熱負荷端末１０の入側に供給しかつ熱負荷端末１０の出側からの熱媒体９を熱交換器４の二次側配管４ｂの他端に戻す二次側循環経路８と、二次側循環経路８の熱媒体９の温度を検知する熱媒体温度センサ１１とを具備した温水利用システムである。現在の季節を検出する季節検出手段１３と、季節検出手段１３で検出された季節に応じて熱媒体９の設定温度を可変する制御部１２とを具備している。【選択図】        図１
2005291623.tif 000002
【特許請求の範囲】
【請求項１】
温水を貯蔵する貯湯タンクと、貯湯タンク内の水を加熱する温水生成手段と、貯湯タンクの上方側から温水を取り出し、熱交換器の一次側配管及び熱交換器一次用ポンプを経て貯湯タンクの下方側に戻す一次側循環経路と、上記熱交換器の二次側配管の一端からの加熱された熱媒体を熱負荷端末の入側に供給すると共に熱負荷端末の出側から排出される熱媒体を熱交換器の二次側配管の他端に戻す二次側循環経路と、上記二次側循環経路の熱媒体の温度を検知する熱媒体温度センサとを具備した温水利用システムであって、現在の季節を検出する季節検出手段と、上記季節検出手段で検出された季節に応じて熱媒体の設定温度を可変にする制御部とを具備したことを特徴とする温水利用システム。
【請求項２】
温水を保温貯蔵する貯湯タンクと、貯湯タンク内の水を加熱する温水生成手段と、貯湯タンクの上方側から温水を取り出し、熱交換器の一次側配管及び熱交換器一次用ポンプを経て貯湯タンクの下方側に戻す一次側循環経路と、上記熱交換器の二次側配管の一端からの加熱された熱媒体を熱負荷端末の入側に供給すると共に熱負荷端末の出側から排出される熱媒体を熱交換器の二次側配管の他端に戻す二次側循環経路と、上記熱負荷端末の入側に供給される熱媒体の温度を検知する熱媒体温度センサとを具備した温水利用システムであって、１年を複数の期間に分割し、分割された各期間に応じて熱媒体の設定温度が異なるように熱交換器一次用ポンプの単位時間当たりの回転数を制御する複数の異なる季節制御モードを備えた制御部と、上記複数の季節制御モードを切り換えるための季節検出手段とを具備することを特徴とする温水利用システム。
【請求項３】
上記季節検出手段は、制御部に内蔵されて季節情報を管理するカレンダー機能回路部からなることを特徴とする請求項１又は請求項２記載の温水利用システム。
【請求項４】
上記季節検出手段は、外気温度を検出する気温センサからなることを特徴とする請求項１又は請求項２記載の温水利用システム。
【請求項５】
上記季節検出手段は、貯湯タンクに供給される水道水の温度を検出する水道水温度センサからなることを特徴とする請求項１又は請求項２記載の温水利用システム。
【請求項６】
上記温水生成手段は、貯湯タンクの下方側から水を取り出して貯湯タンクの上方側に戻す流水経路と、流水経路内に水を取り出す加熱側ポンプと、流水経路内に取り出した水を加熱するヒートポンプと、ヒートポンプで加熱された温水の温度を検出する温水温度センサとを備えたヒートポンプユニットで構成され、上記制御部は、季節検出手段にて切り換えられた季節制御モードに応じて貯湯タンク内の温水の温度が異なるように加熱側ポンプの単位時間当たりの回転数を制御することを特徴とする請求項１又は請求項２記載の温水利用システム。
【発明の詳細な説明】
【技術分野】
【０００１】
本発明は、熱交換器を用いた温水利用システムに関するものである。
【背景技術】
【０００２】
従来、温水を保温貯蔵する貯湯タンクと、貯湯タンク内の水を加熱する温水生成手段と、貯湯タンク内の温水のうち上方側に溜まっている高温水の熱交換を行なう熱交換器と、熱交換器によって高温となった熱媒体が供給される熱負荷端末と、熱交換器を通過した後の温度が低下した中間温度の温水を貯湯タンクに戻す温水戻し手段とを備えた温水利用システムが知られている（例えば、特許文献１参照）。
【０００３】
ところで、一般に、熱交換器付きの温水利用システムにあっては、最も熱を必要とする冬の季節に合わせて、熱負荷端末（例えば、浴室暖房乾燥機）に７０℃の熱媒体を送っている。そのため、貯湯タンクには９０℃の高温水を蓄える必要があった。つまり、９０℃の高温水を熱交換器で熱媒体に熱を伝え、７０℃となるように制御するため、ある程度の温度差が必要であった。一方、最も熱を必要としない夏の季節は、低温（例えば５５℃）の熱媒体を熱負荷端末に送れば必要とする性能を発揮することができるため、貯湯タンクには７０℃の温水を蓄えればよい。にもかかわらず、従来では１年中、貯湯タンクに９０℃の温水を蓄えるシステムとなっており、不必要なエネルギーロスを招くという問題があった。
【特許文献１】特開２００３−１８５２５１号公報
【発明の開示】
【発明が解決しようとする課題】
【０００４】
本発明は上記の従来の問題点に鑑みて発明したものであって、季節に応じた熱負荷端末への熱媒体の温度制御ができると共に、貯湯タンクに蓄える温水の温度制御が可能となり、省エネルギー化を実現できる温水利用システムを提供することを課題とするものである。
【課題を解決するための手段】
【０００５】
上記課題を解決するために請求項１記載の発明にあっては、温水を貯蔵する貯湯タンク１と、貯湯タンク１内の水を加熱する温水生成手段２と、貯湯タンク１の上方側から温水を取り出し、熱交換器４の一次側配管４ａ及び熱交換器一次用ポンプ５を経て貯湯タンク１の下方側に戻す一次側循環経路７と、上記熱交換器４の二次側配管４ｂの一端からの加熱された熱媒体９を熱負荷端末１０の入側に供給すると共に熱負荷端末１０の出側から排出される熱媒体９を熱交換器４の二次側配管４ｂの他端に戻す二次側循環経路８と、上記二次側循環経路８の熱媒体９の温度を検知する熱媒体温度センサ１１とを具備した温水利用システムであって、現在の季節を検出する季節検出手段１３と、上記季節検出手段１３で検出された季節に応じて熱媒体９の設定温度を可変にする制御部１２とを具備したことを特徴としている。
【０００６】
このような構成とすることで、季節に合わせて貯湯タンク１に蓄える温水の温度を異ならせることが可能となり、特に最も熱を必要としない夏の季節では熱媒体９の設定温度が５５℃の場合、貯湯タンク１の温水温度も７０℃であればよく、従来のように１年中、９０℃に加熱する必要がなくなる。従って、貯湯タンク１に温水を蓄えるのに必要なエネルギーを少なくできると共に、貯湯タンク１の温度が低くなるので、そこからの放熱も少なくできる。
【０００７】
また請求項２記載の発明にあっては、温水を保温貯蔵する貯湯タンク１と、貯湯タンク１内の水を加熱する温水生成手段２と、貯湯タンク１の上方側から温水を取り出し、熱交換器４の一次側配管４ａ及び熱交換器一次用ポンプ５を経て貯湯タンク１の下方側に戻す一次側循環経路７と、上記熱交換器４の二次側配管４ｂの一端からの加熱された熱媒体９を熱負荷端末１０の入側に供給すると共に熱負荷端末１０の出側から排出される熱媒体９を熱交換器４の二次側配管４ｂの他端に戻す二次側循環経路８と、上記熱負荷端末１０の入側に供給される熱媒体９の温度を検知する熱媒体温度センサ１１とを具備した温水利用システムであって、１年を複数の期間に分割し、分割された各期間に応じて熱媒体９の設定温度が異なるように熱交換器一次用ポンプ５の単位時間当たりの回転数を制御する複数の異なる季節制御モードを備えた制御部１２と、上記複数の季節制御モードを切り換えるための季節検出手段１３とを具備することを特徴としている。
【０００８】
このような構成とすることで、熱負荷端末１０に供給される熱媒体９の温度を季節に応じた温度に設定するにあたって、季節検出手段１３にて選ばれた季節制御モードは貯湯タンク１の温水の温度を変えるのではなく、熱交換器一次用ポンプ５の回転数を変えることによって、熱媒体９の温度を目標とする設定温度に制御するシステムを採用することにより、季節に応じた熱負荷端末１０への熱媒体９の温度制御ができると共に、季節に合わせて貯湯タンク１に蓄える温水の温度を異ならせることが可能となり、特に最も熱を必要としない夏の季節では熱媒体９の設定温度が５５℃の場合、貯湯タンク１の温水温度も７０℃であればよく、従来のように１年中、９０℃に加熱する必要がなくなる。従って、貯湯タンク１に温水を蓄えるのに必要なエネルギーを少なくできると共に、貯湯タンク１の温度が低くなるので、そこからの放熱も少なくできる。
【０００９】
また、請求項３記載の発明は、上記季節検出手段１３は、制御部１２に内蔵されて季節情報を管理するカレンダー機能回路部１３ａからなるのが好ましく、この場合、カレンダー機能回路部１３ａが制御部１２に組み込まれてシステム全体としてスリム化できると共に、季節検出のためのセンサ等を別途設ける必要がないため、センサの保守も不要となる。
【００１０】
また請求項４記載の発明は、上記季節検出手段１３は、外気温度を検出する気温センサ１３ｂからなるのが好ましく、この場合、外気温による制御は、その日、次の日の気温に合わせた熱負荷端末１０の制御、及び、貯湯タンク１に蓄える温度制御が可能になり、不必要なエネルギーロスの低減をより一層図ることができる。
【００１１】
また、請求項５記載の発明は、上記季節検出手段１３は、貯湯タンク１に供給される水道水の温度を検出する水道水温度センサ１３ｃからなるのが好ましく、この場合、水道水による制御は、水道水の１日の温度変化が少ないので、温度測定後の処理が簡単になり、また、外気の変動要因を削除できるというメリットもある。
【００１２】
また、請求項６記載の発明は、上記温水生成手段２は、貯湯タンク１の下方側から水を取り出して貯湯タンク１の上方側に戻す流水経路１４と、流水経路１４内に水を取り出す加熱側ポンプ１５と、流水経路１４に取り出された水を加熱するヒートポンプ３と、ヒートポンプ３で加熱された温水の温度を検出する温水温度センサ１６とを備えたヒートポンプユニットで構成され、上記制御部１２は、季節検出手段１３にて切り換えられた季節制御モードに応じて貯湯タンク１内の温水の温度が異なるように加熱側ポンプ１５の単位時間当たりの回転数を制御するのが好ましく、この場合、貯湯タンク１に溜められる温水の温度を季節に応じて自動的に制御可能となる。
【発明の効果】
【００１３】
本発明に係る温水利用システムにあっては、夏場において貯湯タンクに温水を蓄えるのに必要なエネルギーを少なくできると共に、貯湯タンクの温度を低くすることで、そこからの放熱も少なくできる。結果、熱交換器を用いた温水利用システムを効率よく運転することが可能となり、不必要なエネルギーロスの低減が図れるものである。
【発明を実施するための最良の形態】
【００１４】
以下、本発明を添付図面に示す実施形態に基いて説明する。
【００１５】
図１は、本実施形態の温水利用システムの一例を示し、図２は、温水利用システムのブロック図を示している。
【００１６】
本温水利用システムは、温水を保温貯蔵する貯湯タンク１と、貯湯タンク１内の水を加熱する温水生成手段２と、貯湯タンク１の上方側から温水を取り出し、熱交換器４の一次側配管４ａ及び熱交換器一次用ポンプ５を経て貯湯タンク１の下方側に戻す一次側循環経路７と、上記熱交換器４の二次側配管４ｂの一端からの加熱された熱媒体９を熱負荷端末１０の入側に供給すると共に熱負荷端末１０の出側から排出される熱媒体９を熱交換器４の二次側配管４ｂの他端に戻す二次側循環経路８と、上記熱負荷端末１０の入側に供給される熱媒体９の温度を検知する熱媒体温度センサ１１とを具備していると共に、複数の異なる季節制御モードを備えた制御部１２と、上記複数の季節制御モードを切り換えるための季節検出手段１３とを具備している。なお、本例では熱負荷端末１０の熱媒体９として、水や不凍液を使用し、貯湯タンク１内の水として水道水を使用し、また温水生成手段２としてＣＯ２ヒートポンプユニットを使用しているが、これらに限定されるものではない。
【００１７】
上記貯湯タンク１の下端には、水道水の供給口１７と、ヒートポンプユニットの流水経路１４の入側に通じる低温水出口１８と、熱交換器４の一次側循環経路７の戻り側に通じる戻り口１９とがそれぞれ設けられており、貯湯タンク１の上端には、上記流水経路１４の戻り側に通じる高温水戻り口２０と、風呂やシャワーなどの給湯機器に高温水を送るための給湯経路２２に通じる給湯出口２１とがそれぞれ設けられている。
【００１８】
上記温水生成手段２を構成するヒートポンプユニットは、貯湯タンク１の下方側から低温の水を取り出して貯湯タンク１の上方側に戻す流水経路１４と、流水経路１４内に水を取り出す加熱側ポンプ１５と、流水経路１４内に取り出された低温の水を加熱して高温水（７０〜９０℃）とするＣＯ２ヒートポンプ３と、ＣＯ２ヒートポンプ３で加熱された温水の温度を検出する温水温度センサ１６とを備えている。ここでＣＯ２ヒートポンプ３は、その配管内にＣＯ２を高圧封入し、ＣＯ２を熱媒として圧縮と膨張とを行なうことで吸熱と放熱とを行なうものであり、放熱部を流水経路１４の途中に介設することで、低温の水を加熱して高温水として貯湯タンク１の上方側に戻せるようになっている。
【００１９】
上記給湯経路２２の途中からは、熱交換器４の一次側循環経路７が分岐している。一次側循環経路７の途中には熱交換器４の一次側配管４ａが設けられ、この一次側配管４ａの下流側に熱交換器一次用ポンプ５が設けられている。熱交換器一次用ポンプ５は、貯湯タンク１の上方側からの高温水を、給湯経路２２から熱交換器４の一次側配管４ａに通して貯湯タンク１の下方側へ戻すためのものであり、制御部１２からの信号に応答して熱交換器一次用ポンプ５の単位時間当たりの回転数（指定流量）が決定されるようになっている。
【００２０】
熱交換器４の二次側配管４ｂは、熱負荷端末１０の二次側循環経路８に設けられている。熱交換器４によって貯湯タンク１からの温水の熱が熱媒体９に伝えられ、高温の熱媒体９にして浴室暖房乾燥機などからなる熱負荷端末１０に供給される。また、二次側循環経路８には、熱交換器４の二次側配管４ｂよりも下流側に、熱媒体温度センサ１１が配置され、上流側に熱交換器二次用ポンプ６が配置されている。熱媒体温度センサ１１は、熱負荷端末１０に送る熱媒体９の温度を測定してその結果を制御部１２に送るものである。
【００２１】
上記制御部１２はその内部に、図２に示すように季節検出手段１３としてのカレンダー機能回路部１３ａを持っている。カレンダー機能回路部１３ａは、例えば、年・月・日・時刻を管理するマイクロコンピュータによって構成されている。例えば、１年を冬の季節と夏の季節の２つの期間に分割し、分割された期間のうち現在の期間に応じた信号（冬の季節を示す信号又は夏の季節を示す信号）を出力するものである。また制御部１２には、夏の季節制御モードを実行する夏モード回路２３と、冬の季節制御モードを実行する冬モード回路２４とが設けられ、上記カレンダー機能回路部１３ａから出力される信号に応じて夏モード回路２３と冬モード回路２４のいずれか一方に切り換えられるようになっている。
【００２２】
上記制御部１２は、カレンダー機能回路部１３ａから得られる季節信号に基いて現在の季節に応じた季節制御モードを選択して実行する。つまり、夏の場合は、カレンダー機能回路部１３ａによって夏モード回路２３が選択され、夏の季節制御モードを実行する。夏の季節制御モードは、熱媒体９の設定温度は５５℃となり、この設定温度と熱媒体温度センサ１１による検知温度とを比較する。このとき、熱媒体温度センサ１１の方が温度が高い場合は、熱交換器一次用ポンプ５の単位時間当たりの回転数を下げる信号を出力する。これにより、熱交換器４の一次側配管４ａを通過する温水の単位時間当たりの流量が減少し、熱媒体９の温度は低下する。逆に、熱媒体温度センサ１１の方が温度が低い場合は、熱交換器一次用ポンプ５の単位時間当たりの回転数を上げる信号を出力する。これにより、熱交換器４の一次側配管４ａを通過する温水の単位時間当たりの流量が上昇し、熱媒体９の温度が上昇する。これを繰り返すことで、熱媒体９の温度を夏の季節用の目標温度（５５℃）に到達させることができる。一方、冬の季節では、冬モード回路２４を選択して冬の季節制御モードを実行する。冬の季節制御モードは、熱媒体９の温度を７０℃に設定すると共に、この設定温度と熱媒体温度センサ１１による検知温度とを比較し、上記と同様な方法で、熱媒体９の温度を冬の季節用の目標温度（７０℃）に到達させるものである。
【００２３】
また図１に示す例では、制御部１２は、季節検出手段１３にて切り換えられた季節制御モードに応じて貯湯タンク１内の温水の温度が異なるように加熱側ポンプ１５の単位時間当たりの回転数を制御する機能も併せ持っている。図４はそのブロック図の一例を示している。本例では、夏の季節制御モードを実行した場合は、制御部１２は貯湯タンク１に送られる温水の温度を７５℃とし、この設定温度と温水温度センサ１６による検知温度とを比較する。このとき、温水温度センサ１６の方が温度が高い場合は、制御部１２は加熱側ポンプ１５の単位時間当たりの回転数を下げる信号を出力する。これにより、図１に示すＣＯ２ヒートポンプ３を通過する温水の単位時間当たりの流量が減少して、温水の温度を下げることができ、逆に、温水温度センサ１６の方が温度が低い場合は、制御部１２は加熱側ポンプ１５の単位時間当たりの回転数を上げる信号を出力する。これにより、ＣＯ２ヒートポンプ３を通過する温水の単位時間当たりの流量が上昇し、温水の温度を上げることができる。これを繰り返すことで、貯湯タンク１に送られる温水の温度を目標温度（７０℃）に到達させることができる。一方、冬の季節制御モードが実行されている場合は、貯湯タンク１に送られる温水の設定温度が９０℃となり、この設定温度と温水温度センサ１６による検知温度とを比較して、上記と同様な方法で、貯湯タンク１に送られる温水の温度を冬の季節用の目標温度（９０℃）に到達させるものである。これにより、貯湯タンク１に溜められる温水の温度を季節に応じて自動的に制御可能となる。なお、貯湯タンク１の下方側には、貯湯タンク１内の温水の温度を検出する温度センサ５０が設けられており、例えば貯湯タンク１内の温度が夏場で７０℃、冬場で９０℃を超えた場合、温度センサ５０からの信号によって加熱側ポンプ１５を停止させる仕組みとなっている。
【００２４】
上記構成によれば、熱負荷端末１０に供給される熱媒体９の温度を季節に応じた温度に設定するにあたって、季節検出手段１３にて選ばれた季節制御モードは貯湯タンク１の温水の温度を変えるのではなく、熱交換器一次用ポンプ５の回転数を変えることによって、熱媒体９の温度を目標とする設定温度に制御するシステムを採用することにより、季節に応じた熱負荷端末１０への熱媒体９の温度制御ができると共に、季節に合わせて貯湯タンク１に蓄える温水の温度を異ならせることが可能となり、特に最も熱を必要としない夏の季節では熱媒体９の設定温度が５５℃の場合、貯湯タンク１の温水温度も７０℃であればよく、従来のように１年中、９０℃に加熱する必要がなくなる。従って、貯湯タンク１に温水を蓄えるのに必要なエネルギーを少なくできると共に、貯湯タンク１の温度が低くなるので、そこからの放熱も少なくできる。結果、熱交換器４を用いた温水利用システムを効率よく運転することが可能となり、不必要なエネルギーロスの低減が図れるものである。
【００２５】
しかも、本例の季節検出手段１３は、制御部１２に内蔵されて季節情報を管理するカレンダー機能回路部１３ａからなるので、季節検出手段１３が制御部１２に組み込まれてシステム全体のスリム化を図ることができ、そのうえ季節検出のためのセンサ等を別途設ける必要がないため、センサの保守も不要である。なお、カレンダー機能回路部１３ａを例えば衛星信号を受信して該衛星信号から年月日時分秒の時刻情報を抽出する衛星信号受信手段（ＧＰＳ）の受信機を備えたカレンダー時計機構により構成することも可能である。
【００２６】
なお、図２の実施形態では、季節制御モードの一例として夏モード回路２３と冬モード回路２４とを例示したが、図３に示すように、秋及び春の中間モード回路２５を追加してもよい。この中間モード回路２５では、例えば、熱媒体９の温度は冬場の７０℃と夏場の５５℃の略中間値に設定され、貯湯タンク１内の温水の温度は冬場の９０℃と夏場の７０℃の略中間値に設定する。これにより、夏、冬以外の春、秋の中間の季節においても省エネ化を実現できるものとなる。
【００２７】
図５及び図６は季節検出手段１３として、外気温を測定する気温センサ１３ｂを用いた場合の一例を示している。他の構成は図１と基本的に同様であり、対応する部分には同一符号を付して説明は省略する。本例において、制御部１２は、気温センサ１３ｂの温度から１日の温度データを測定し、平均する。その平均値が高いとき（例えば、１５℃以上）は、熱媒体９の設定温度を５５℃とし、熱媒体温度センサ１１と比較する。逆に、上記平均値が低いとき（例えば、１５℃未満）は、熱媒体９の設定温度を７０℃とし、熱媒体温度センサ１１と比較する。いずれの場合においても、熱媒体温度センサ１１の方が温度が高い場合、熱交換器一次用ポンプ５の単位時間当たりの回転数を下げる信号を出して、熱交換器４の一次側配管４ａにおける単位時間当たりの流量を減らすようにし、逆に、熱媒体温度センサ１１の方が温度が低い場合は、熱交換器一次用ポンプ５の単位時間当たりの回転数を上げる信号を出して、熱交換器４の一次側配管４ａにおける単位時間当たりの流量を増やす。これにより熱媒体９の温度を目標温度に到達させることができる。しかして、外気温による制御システムを採用することで、その日、次の日の気温に合わせた熱負荷端末１０の制御、貯湯タンク１に蓄える温度制御が可能になり、不必要なエネルギーロスの低減を一層図ることができるものである。
【００２８】
図７は、季節検出手段１３として、貯湯タンク１に供給される水道水の温度を検出する水道水温度センサ１３ｃを用いた場合の一例を示し、図８は水道水の１年間の温度変化の一例を示している。他の構成は図１と基本的に同様であり、対応する部分には同一符号を付して説明は省略する。本例では、水道水温度センサ１３ｃにより現在の水道水の温度を検出して制御部１２に入力する。制御部１２は、水道水温度センサ１３ｃにより検知した水道水の温度値が高いとき（例えば、１５℃以上）は、熱媒体９の設定温度を５５℃とし、熱媒体温度センサ１１と比較する。逆に上記水道水温度センサ１３ｃにより検知した温度値が低いとき（例えば、１５℃未満）は、熱媒体９の設定温度を７０℃とし、熱媒体温度センサ１１と比較する。いずれの場合においても、熱媒体温度センサ１１の方が温度が高い場合は、熱交換器一次用ポンプ５の単位時間当たりの回転数を下げる信号を出し、熱交換器４の一次側配管４ａにおける単位時間当たりの流量を減らす。逆に、熱媒体温度センサ１１の方が温度が低い場合、熱交換器一次用ポンプ５の単位時間当たりの回転数を上げる信号を出し、熱交換器４の一次側配管４ａにおける単位時間当たりの流量を増やす。これにより熱媒体９の温度を夏又は冬の季節の設定温度に到達させることができる。しかして、水道水による制御は、１日の温度変化が少ないので、温度測定後の処理が簡単になり、また、外気の変動要因を削除できるというメリットがある。
【００２９】
なお上記実施形態で説明した熱媒体９の設定温度、貯湯タンク１の温度の各数値等はいずれも一例であり、適宜設定変更自在である。
【図面の簡単な説明】
【００３０】
【図１】本発明の一実施形態の温水利用システムの説明図である。
【図２】同上の制御部に関連するブロック図である。
【図３】他の実施形態のブロック図である。
【図４】更に他の実施形態のブロック図である。
【図５】更に他の実施形態のブロック図である。
【図６】図５の温水利用システムの説明図である。
【図７】更に他の実施形態の温水利用システムの説明図である。
【図８】図７において用いる水道水の１年間の温度変化の一例を示すグラフである。
【符号の説明】
【００３１】
１  貯湯タンク
２  温水生成手段
３  ヒートポンプ
４  熱交換器
４ａ  一次側配管
４ｂ  二次側配管
５  熱交換器一次用ポンプ
７  一次側循環経路
８  二次側循環経路
９  熱媒体
１０  熱負荷端末
１１  熱媒体温度センサ
１２  制御部
１３  季節検出手段
１３ａ  カレンダー機能回路部
１３ｂ  気温センサ
１３ｃ  水道水温度センサ
１４  流水経路
１５  加熱側ポンプ
１６  温水温度センサ
【図１】
2005291623.tif 000003
【図２】
2005291623.tif 000004
【図３】
2005291623.tif 000005
【図４】
2005291623.tif 000006
【図５】
2005291623.tif 000007
【図６】
2005291623.tif 000008
【図７】
2005291623.tif 000009
【図８】
2005291623.tif 000010